(57)【要約】      （修正有）【課題】設置と制御が容易であり、多様な入出力装置と容易に連結され、データの記憶及び操作が容易であり、効果的にプレゼンテーションすることができる、マルチメディアプレゼンテーションコンピューター装置を提供する。【解決手段】多様な情報を受ける入力ユニットと、多様な装置に情報を送る出力ユニットと、入力された情報を受け入れ、操作、記憶して出力装置に送る中央処理ユニット（ＣＰＵ）と、操作された情報を記憶しこれをＣＰＵに送る記憶装置と、ＣＰＵと他の部品及び前記装置を有しており、前記装置が効率良く作動するように装置を制御するコントローラから成る。【選択図】図１
2009080813.tif 000002
【特許請求の範囲】
【請求項１】
記憶装置及び入力装置に接続される入力ユニットと、
多様な出力装置に接続される出力ユニット、
入力装置から情報を受けて処理して出力ユニットに送るＩＥＣＰＵと、
前記ＩＥＣＰＵを制御するコントローラを含むことを特徴とするマルチメディアプレゼンテーションコンピューター装置。
【請求項２】
入力ユニットに接続される記憶装置と入力装置はディスクドライバー、ＶＣＲ、オーディオレコーダー、マイクロフォン、カメラ、文字入力用キーボード、音楽用キーボード、ディジタイザ、モデム及びセンサであり、出力ユニットに接続される出力装置はＴＶモニター、コンピューターモニター、ビームプロジェクター、スピーカー、書き込み可能なディスクドライバー、ＶＣＲ及びモデムであることを特徴とする請求項１に記載のマルチメディアプレゼンテーションコンピューター装置。
【請求項３】
情報記憶装置はハードディスクドライバー、ＣＤロムディスクドライバーであり、前記ＩＥＣＰＵはノートブックにインストールされるエンコーダであり、出力ユニットに接続される出力装置はＴＶモニターとビームプロジェクターであることを特徴とする請求項１に記載のマルチメディアプレゼンテーションコンピューター装置。
【請求項４】
前記ＩＥＣＰＵはアップグレード可能な部品が除去されるコンピューターボード、マルチメディアプレゼンテーションのために基本的であり一つのメインボードに統合されるサウンドカード、ＶＧＡカード、ＭＰＥＧカード及びエンコーダを有し、頻繁に用いられるカメラ、音楽用キーボード、文字入力用キーボード、ディジタイザ、映像及び音声ポート、ヘッドフォン、ジョイスティック及びコントローラポートが装置の前面に配置されることを特徴とする請求項１に記載のマルチメディアプレゼンテーションコンピューター装置。
【請求項５】
前記コントローラは前記ＩＥＣＰＵに有線または無線で接続され、コントローラはプレゼンターが一定距離離れてもプレゼンテーションを操作できる電子ポインター及びカーソルコントロール部を有することを特徴とする請求項１に記載のマルチメディアプレゼンテーションコンピューター装置。
【請求項６】
メインボードは前記ＩＥＣＰＵにあるソフトウェアチップを有し、ソフトウェアチップはオーエス(オペレーティングシステム)とマルチメディアプレゼンテーション用基本プログラムがインストールされることを特徴とする請求項１に記載のマルチメディアプレゼンテーションコンピューター装置。
【請求項７】
前記入力装置はディジタイザを有するキーボードを含むことを特徴とする請求項１に記載のマルチメディアプレゼンテーションコンピューター装置。
【発明の詳細な説明】
【技術分野】
【０００１】
本発明は視聴覚教育、プレゼンテーション、放送、ブリーフィング、編集、音楽演奏、ビデオアート、娯楽のためのマルチメディアプレゼンテーションコンピューター装置に関する。
【背景技術】
【０００２】
現在、用いられるプロジェクターはＯＨＰ（オーバヘッドプロジェクター）及びスライドプロジェクターであり、これらは無声及びスチール写真をプレゼンテーションすることに限定される。これらのプロジェクターの維持及びスライド資料の製作コストが高く難しいので、ＯＨＰとスライドプロジェクターは広く用いられない。
【０００３】
一方、ＶＣＲは動画像及び音声を提供し容易に用いられるが、資料の製作、管理、保管が時間を消耗して難しい。更に、ユーザは進行中のプレゼンテーションを完全にコントロールすることができない。
【０００４】
パソコンに対して,パソコンはマルチメディアプレゼンテーションを行うことができるが、多くの追加マルチメディア装置との接続が必要するので,装置とプログラムとの接続、ローディング及び管理のためにより高い水準の知識及び技術を必要とする。
【０００５】
多くの準備時間が要求されるので、パソコンでプレゼンテーションすることは容易なことではなく、エラーの発生率が高い。また話者が聴衆ではなくコンピューターに意識を集中しなければならないので、人々はパソコンを使用してでプレゼンテーションすることを避けるという欠点がある。
【０００６】
ボード及びカード並びに入出力インターフェースの配列が複雑であるから、パソコンは良好なマルチメディアプレゼンテーション環境を提供することができない。
【０００７】
パソコンは多くのアップグレードポートと、多様な会社で製作されるサウンドカード、ＶＧＡカード及びＭＰＥＧカードがポートに直角に挿入されるので、要らない部品及び製品の大きさの拡張、非互換性及び問題の増加、製品コストの上昇、インターフェースとパソコンの後面のコードの複雑性、使用の不便等で、マルチメディアプレゼンテーションの環境を悪化させる。
【０００８】
また、デスクトップ用キーボード及びマウスはコンピューターにスピーカーを一体化するように用いられる。
【０００９】
従って、専用的なマルチメディアプレゼンテーションコンピューター装置が要求される。
【発明の開示】
【発明が解決しようとする課題】
【００１０】
意図されたマルチメディアプレゼンテーションコンピューター装置は従来の制限を克服する。改良された設備はユーザが装置の前面にメイン入力インターフェースを配列することにより容易に編集、製作及びプレゼンテーションできるようにして；非互換性の問題を除去し、大きさが小さくなり、ボードとカードを統合させることにより製品コストが減縮され、チップにOS及びメインプログラムをインストールすることにより起動時間が短くなりウィルスによる障害が除去され；また容易に管理される一方、装置と離れてもコントローラの専用的な利用によりプレゼンテーションすることができる。
【００１１】
提案されたマルチメディアプレゼンテーションコンピューター装置は一つの簡単であり管理可能なマルチメディアプレゼンテーション装置で前記されたマルチメディア装置のすべての利点を統合することにより前記のすべての目的を達成することができる。
【課題を解決するための手段】
【００１２】
入力のために次のものが統合される；ディスクドライバー、即ちＣＤロム、ＤＶＤドライブ；ＺＩＰディスクドライブ；ＪＡＺＺディスクドライブ；ハードドライブ；音声情報入力用マイクロフォン；画像入力用カメラ；文字入力用キーボード；音声情報入力用音楽用キーボード；画像情報入力用ディジタイザ；画像情報入力及び記憶用ＶＣＲ；オーディオ及び映像情報入力用ＴＶ及びラジオチューナ；及び資料伝送及び通信用モデム。これと関連された部品を備える前記のすべての装置は無限情報入力を目的として接続されることができる。
【００１３】
前記の入力された情報はプロセッシングユニットにより制御され、出力ポートを通じて出力されるとか記憶装置に記憶される。
【００１４】
装置を改善するために、統合されたメインボードが製作されなければならない。このメインボードには,不必要なボード及び部品が除去され,サウンドカード、ＶＧＡカード、ＭＰＥＧカード、及びエンコーダのような共通的に用いられるカードがメインボードに統合されている。メインボードは互換性を保障するように制御され、またスペアカードポートが必要である。
【００１５】
前記スペアカードポートは装置の大きさを小さくするために、直角に挿入されるよりも装置ケースに固定されて連結される方が好ましい。
【００１６】
このような装置のソフトウェアは装置に対して特有のものであり、唯一プレゼンテーションの使用のために開発される。これはマイクロチップに積載され、その次ボードにインストールされる。このようなインストールはウィルス感染を防止し、プログラムの速度を向上させる。
【００１７】
前記したプロセッシングユニットはコントローラまたは装置の「ボタン」により制御される。
【００１８】
出力のために、統合されるのは次の通りである；ＴＶモニター；コンピューターモニター；ＬＣＤ（液晶ディスプレイ）；ビームプロジェクター；スピーカーと他のプレゼンテーション装置；記憶装置及び伝送装置が接続されるかインストールされる。
【００１９】
ＴＶモニターを含む理由はＰＣモニターと比べてＴＶモニターが低廉なのでより大きいスクリーンを有することができるからである。
【００２０】
提案された統合コンピューターボードは装置の前面に設けられた文字入力用キーボード、音楽用キーボード、ビデオ、スピーカー、マイクロフォン、コントローラ及びヘッドフォンのための入力ポートを有する。
【００２１】
一度設けられると通常分離されない入力ポート及び出力ポートはユーザーの効率を増加させるように装置の後面に位置される。
【００２２】
アニメーションまたは映画のプレゼンテーションのために、高速ＣＤロムドライブまたはＤＶＤドライブが要求される。
【００２３】
前記で、プロセッシングユニットは入力装置から情報を受けて、これを処理し、出力装置にこれを伝送する。
【００２４】
コントローラはプロセッシングユニットを制御する。コントローラはワイヤの手段により装置に付着されるか無線で付着される。
【００２５】
ユーザはコントローラでプロセッシングユニットを制御し、プロセッシングユニットは入力及び出力を制御する。このようなプロセッシングユニットボードは容易に用いられないが、利用可能な装置、部品及びソフトウェアを統合することにより、提案された装置を製作することが可能である。
【００２６】
処理された情報の結果はアナログ信号またはデジタル信号で出力される。このため、エンコーダ機能がメインボードに追加されなければならなく、これはユーザがＴＶモニター上でプレゼンテーション、編集またはビデオ映画を製作できるように信号を変換させる。
【００２７】
特定の目的に適合した装置のために、熱感知センサ、光感知センサ、圧力感知センサ、または湿度感知センサ、またはカメラのような他の入力手段を入力パネルに追加することもできる。このような追加により装置は産業及び警備分野で用いられることができる。
【００２８】
教育の分野で用いるために、特定化されたキーボードが製作される。このようなキーボードは文字入力用キーボードとグラフィック入力用ディジタイザを結合する。
【００２９】
このような概念の例としては、ＶＣＲ、教室で用いるためのマルチメディアプレゼンテーションコンピューター、単純化されたマルチメディアプレゼンテーションコンピューター、ノートブック形態のマルチメディアコンピューター、固定モニターまたはビームプロジェクターを備えたマルチメディアプレゼンテーションコンピューター、及び警備システムとそのボードと互換できるマルチメディア編集及びプレゼンテーション用コンピューターである。
【発明の効果】
【００３０】
マルチメディアプレゼンテーションコンピューターは一般的な視聴覚教育装置と比べて次の利点がある。
１）小形化及び軽量化によって管理が容易である。
２）交替される必要がある交換可能な部品ない。
３）リモートコントローラで容易に制御される。
４）一つのハードディスクドライブにすべてが配置されるので資料の製作、管理及び使用が便利である。
５）資料の記憶及び管理のためのコストが低廉である。
６）資料の製作、編集及び記憶空間が要らない。
７）資料を製作する時、他の装置が要求されない。
８）映像及び音声プレセンテーションはいずれか一方にまたは双方ともにプレゼンテーションされる。
９）部屋及びモニターの数により多いグループでプレゼンテーションできる。
１０）二つ以上の画面を同時に見ながら容易に比較するように使用できる。
１１）電話線が用いられる場合、資料は遠距離で閲覧される。
１２）電話線が用いられる場合、プレゼンテーションを同時にいろいろな場所で行うことが可能である。
１３）プレゼンテーションを録画する時追加の装備が要らない。
１４）楽器の代わりに用いることができる。
１５）黒板、ノートブックまたはカンバスとして用いることができる。
１６）相互操縦でアニメーションまたは映画を上映することができる。
１７）ＣＤ、ＣＤロム、ＣＤＩ及びビデオテープ等のような多様なディスクを用いることができる。
また、パソコンと比べると、
１）部品及びカードの除去、内部の大きさの縮小によってコストが節約される。
２）大部分の外部装置及びカードが除去される。
３）後面のコードの数が少ないのでセットアップが容易である。
４）大きさが小さく接続の数が少なくて、装置が容易に運ばれる。
５）リモートコントロールを用いて容易に制御することができる。
６）入力ポートが容易に接近可能である。
７）統合したボードは互換性の問題がない。
８）ボードが良好に構成及び制御されるので、熟練していないユーザでも容易に用いることができる。
９）簡素化されたＯＳマイクロチップによりウィルス感染の危険を除去する。
１０）セットアップ時間が短い。
１１）ＴＶモニターやプロジェクターを用いることにより安いコストで大きいスクリーンプレゼンテーションを提供する。
１２）プレゼンターは専用コントローラの使用で助手を必要としない。
１３）プレゼンターがプレゼンテーションを駆動する間に聴衆とやりとりが可能である。
附帯効果−教室で用いる場合
１）多様な視聴覚ディスプレイを提供することが容易になる。
２）教師は必要性、学生の水準に合わせてプレゼンテーションを容易に製作でき、教室でプレゼンテーションをすることができ、これは学生の教育を刺激する。
３）学生はプログラムを製作してプレゼンテーションでき、これはより積極的学習雰囲気、より打ち解けた雰囲気を高め、また近代技術の知識を深める。
４）このような装置及びこの通信性能を用いることにより、教科書及び自習書の必要性を除去することができる。
このような装置を用いられる場所
学校の教室、会議室、教会、集会場所及び家庭
【発明を実施するための最良の形態】
【００３１】
図１は装置の基本構成を示したブロック図である。入力、処理及び出力の三つの部分より構成される装置を示す。
【００３２】
入力のために、ディスクドライブ１１１-ＣＤロム、ＤＶＤドライブ、ＺＩＰドライブ、ハードディスクドライブ；マイクロフォン用前面接続入力ポート１０２、カメラ１０３、文字入力用キーボード１０５、音楽用キーボード１０６、ディジタイザ１０４、ジョイスティック１０７等；設けられた入力装置としてＴＶ及びラジオチューナ１０９、ＶＣＲ１０８及びモデム１１０等が前面に接続される。このような例は接続される多様な入力装置を例示したが、必要によって入力装置が追加されたり除去され、または別の装置を製作するために入力装置の数が増加または減少される。
【００３３】
出力のために、ＴＶまたはビームプロジェクター１１２、コンピューターモニター、ＬＣＤまたはビームプロジェクター１１３、及びスピーカー１１４；多様なディスクドライブ１１１、ＶＣＲ１０８のような設置または接続された記憶装置；プリンター１１５、ＣＤＲ１１６及び伝送用電話モデム１１０のような接続出力装置；ヘッドフォン１１７用前面出力ポートが後面の接続ポートに接続される。
【００３４】
図１は可能なすべての入力手段を示したが、装置の目的によって入力ポートの追加、除去または再構成が可能である。
【００３５】
図２ａは基本的装置の入力ポートの前面斜視図である。図２ａに示したように、コントローラ４、ジョイスティック５、キーボード６、音楽用キーボード７、ディジタイザ８、マイクロフォン１２、画像情報入力ポート１５、及び音声情報入力ポート１６のためのポートがある。
【００３６】
また、センサ１０、パワーボタン１１、ボリュームダイアル９及びＶＣＲ機能ボタン１６が示されている。
【００３７】
ＶＣＲ１、ＣＤドライバーまたはＤＶＤドライバー２、ＺＩＰディスクドライブ、ＪＡＺＺディスクドライブ、除去可能なハードディスクドライバー３は入力及び出力のための記憶装置である。
【００３８】
図２ｂは基本的装置の出力ポートの後面斜視図である。図２ｂに見られるように、アンテナ用入力ポート２５，２６、オーディオ用入力ポート１７、ビデオ用入力ポート１８；及びオーディオ用出力ポート１９、ビデオ用出力ポート２０、ＶＧＡ用出力ポート２１、プリンター用出力ポート２３、電話用出力ポート２２及びパワーコード２４がある。
【００３９】
図３ａ及び図３ｂは図２ａ及び図２ｂに類似する図面であって、装置の他の例を示す。図３ａ及び図３ｂは教室で用いるために図２ａ及び図２ｂを単純化し再構成されたものである。図２ａ及び図２ｂからＶＣＲが除去されている。参照符号は図２ａ及び図２ｂの参照符号と同一なので、その説明は省略する。
【００４０】
図４は特別に設計された装置の一例であり、携帯用ノートブックにこのような概念を適用したものである。
【００４１】
この例において、ノートブックのメインボードにＴＶモニターを接続できるようにエンコーダが追加されたものである。コントローラを用いるために、ノートブックの前面パネルにポートとセンサがある。
【００４２】
この方式でノートブックを構成することにより、ノートブックはノートブックの制限にもかかわらずマルチメディアプレゼンテーションコンピューター装置として作用することができる。
【００４３】
図５は図２，３，４，６，７，８及び９に適用されるマルチメディアプロジェクターコントローラを示す。パソコンの通常のマウスはデスク用に制限され、スクリーンと関連して使用される。マルチメディアプレゼンテーションコンピューター装置のコントローラは大きいスクリーンの側で取り扱われ制御されるので、より良く設計されかつ多様な機能が要求される。
【００４４】
図５はこのようなマルチメディアプロジェクターのコントローラの一例である。マルチメディアプロジェクターコントローラは光線ポインター５１，スクリーン上のカーソルを調節するトラックボール、ボタンまたはスティック５２、左右選択ボタン５３、光線ポインターボタン５４、リモートセンサ５５、選択ボタン５６及び本体５７より構成される。
【００４５】
このようなコントローラは接続ジャック、コード及び本体を有するが、ジャック及びコードはセンサと代替できる。
【００４６】
本体はカーソル移動装置、選択ボタンを有し、本体の内側に回路パネルがある。光線ポインターが追加されて、スクリーンセンサとして作用することができる。
【００４７】
前記コントローラは教育、警備、広告のような目的によって限定された例であり、コントローラは形状及び機能を変更できる。
【００４８】
マウスパッドを必要とし平面でマウスを使用することは説明者を装置に縛り付けるが、前記コントローラは手に取って、光線ポインターでスクリーンから一定距離離れてもマルチメディアプレゼンテーションを操縦でき、容易に説明することができる。
【００４９】
図６，７，８，９及び１０は特定目的のマルチメディアプレゼンテーションコンピューターの他の例を示す。
【００５０】
図６は出張講義、営業またはビデオ音楽を楽しむための携帯用マルチメディアプレゼンテーションコンピューターである。
【００５１】
図７は出張及び営業用スクリーンを備える携帯用マルチメディアプレゼンテーションコンピューターである。ＴＶチューナがまたこの装置に含まれる。
【００５２】
図８は教室用固定モニターを備えるマルチメディアプレゼンテーションコンピューターである。この装置は教室に永久的に固定されることができる。
【００５３】
図９は小講堂用携帯用ビームプロジェクターと結合されたマルチメディアプレゼンテーションコンピューターである。
【００５４】
図１０はビデオ録画、スチール写真取り及び警告が可能な警備用の多重モニターまたは分割モニターと結合されたマルチメディアプレゼンテーションコンピューターである。
【００５５】
図１１は入力及び出力ポートと、コントロールユニットの中間部にソフトウェアチップを示したマルチメディアプレゼンテーションボードの平面図である。画像情報出力ポート１，３、音声情報出力ポート２，ＶＧＡ出力ポート４、電話ポート５、プリンターポート６、パワースイッチ７、ソフトウェアチップ８、映像情報入力ポート９、音声情報入力ポート１０、ディジタイザポート１１，文字情報用キーボードポート１２，音楽用キーボードポート１３、ジョイスティック１４及びコントローラポート１５を示す。
【００５６】
前記ソフトウェアチップ８は、チップにインストールされるプログラムが小さく単純なプログラムでありグラフィックとサウンドプレゼンテーションが強いのでハードディスクに多いプログラムを有する通常のパソコンと異なる。
【００５７】
図１２はカードが一つのボードに統合され入力ポートが装置の前面に位置される一般作業用パソコンボードの平面図である。
【００５８】
音声情報入出力ポート２１，２２、映像情報入出力ポート２３，２４、ＶＧＡ出力ポート２５、電話ポート２６、プリンターポート２７、文字入力用ポート２８，マウスポート２９、パワースイッチ３０、追加カード用ポート３１、音声情報及び映像情報入力ポート３２，マイクロフォンポート３３，ヘッドフォンポート３４，ディジタイザポート３５、音楽用キーボードポート３６，及びジョイスティックポート３７を示す。
【００５９】
図１３は警備システムの平面図である。これは映像情報出力ポート４１，音声情報出力ポート４２，多様な数の映像情報及び音声情報入力ポート４３乃至５１、ソフトウェアチップ５３、パワースイッチ５２，及びコントロールキーボードポート５４を一体化する。
【００６０】
この図面において、ボードは一つの映像情報出力ポートと九つの映像情報入力ポートを有するが、その数は変更可能である。
【００６１】
図１４はマルチメディア編集及びプレゼンテーションコンピューターボードの平面図である。映像情報入出力ポート６１，音声情報入出力ポート６２、映像情報及び音声情報入出力ポート６３、スキャナポート６４，ＶＧＡ出力ポート６５，電話ポート６６，プリンターポート６７、文字入力用キーボードポート６８，マウスポート６９，パワースイッチ７０，追加のカードポート７１，ソフトウェアチップ７６，映像情報及び音声情報入力ポート７２，７３、マイクロフォンポート７４，ヘッドフォンポート７５，ディジタイザポート７７、ミュジックキーボードポート７８，ジョイスティックポート７９、コントローラポート８０を示す。
【００６２】
図面から見られるように、ボードはスキャナ入力ポートを有し、コンピューター内に配置されたＶＣＲと接続され、コンピューターと互換される。これはユーザが相異な方式で情報を交換し、編集及び記憶でき、またコンピューターシステムとＶＣＲを分離して情報を共にプレゼンテーションすることができる。
【００６３】
図１５は単純化されたマルチメディアプレゼンテーションコンピューターボードである。映像情報出力ポート９１，音声情報出力ポート９２、パワースイッチ９３，ソフトウェアチップ９４，ジョイスティックポート９５、コントローラポート９６が示されている。このような図面は映像及び音声の出力を提供する簡単なプレゼンテーションコンピューターボードである。これは学校と、営業及び広告会社のために特別に設計される。
【００６４】
図１６は教師用文字キーボードとディジタイザと結合させた若干の機能キーを備えるマルチメディアプレゼンテーションコンピューターキーボードである。
【００６５】
図１７ｂはソフトウェアチップのフローチャートである。ユーザーが電源をオンすると、システムはシステム内のＣＤの存在の可否を判断して、適切な環境を選択し、スクリーンにこれをディスプレイする。ＣＤが存在すると、システムは三つのアイコンが存在するＣＤの第１スクリーンに直接進行する（図１７ａ参照）。第１アイコンは、ユーザーが書くことができる電子黒板に連結される。第２アイコンはウィンドウプログラムを判読する。第３アイコンはＣＤを排出する。ユーザがＣＤプログラムを進行したい時は、ＣＤをアクセスすることを必要とする。ＣＤが存在しない時は、ウィンドウ上のアイコン、インターネット、ＴＶ、電話及び他の登録されたプログラムがスクリーンに表される。ユーザはその中一つを選択してエンターキーを押す。このような選択工程はプレゼンテーションを迅速にし、セットアップを容易にし、多様なソフトウェアチップに多様な目的の特定プログラムがインストールされることができる。
【００６６】
特定の教育用コンピューターボード、家庭用コンピューターボード、または広告用コンピューターボードのような他のボードがその目的により製作されることができる。
【００６７】
装置の基本的概念は図１に示されている。図２及び図３はこのような装置の構造例である。図４はノートブックに追加して用いられた例である。図５は図２，３，４，６，７，８及び９に適用されるコントローラの例であり、図１１，１２，１３，１４及び１５はマルチメディアプレゼンテーションコンピューターボードの例である。図１６はマルチメディアプレゼンテーションコンピューターキーボードの例である。図１７はマルチメディアプレゼンテーションソフトウェアチップである。
【００６８】
前述した実施例は一つの例示として、本発明の権利範囲を限定しないことは勿論、本発明の主旨からはずれることなく変形及び変更が可能であるが、これが本発明の範囲に属することは添付された請求範囲を通じても分かることができる。
【図面の簡単な説明】
【００６９】
添付の図面を参照して記載した下記の詳細な説明から本発明の目的及び利点がより明らかになろう。
【図１】構成図である。
【図２ａ】複合装置の正面図である。
【図２ｂ】複合装置の背面図である。
【図３ａ】基本装置の正面図である。
【図３ｂ】基本装置の背面図である。
【図４】マルチメディアプレゼンテーション用ノートブックコンピューターとＴＶとの接続を示した概念図である。
【図５】図２，３，４，６，７，８及び９に適用されるコントローラを示した図である。
【図６】単純化された装置の例示図である。
【図７】単純化された装置の例示図である。
【図８】他の装置と統合された装置の例示図である。
【図９】他の装置と統合された装置の例示図である。
【図１０】他の用途に適用された装置の例示図である。
【図１１】マルチメディアプレゼンテーションコンピューター用ボードの平面図である。
【図１２】パソコンボードの平面図である。
【図１３】警備システムボードの平面図である。
【図１４】マルチメディア教育及びプレゼンテーションコンピューター用ボードの平面図である。
【図１５】簡単なマルチメディアプレゼンテーションコンピューター用ボードの平面図である。
【図１６】マルチメディアプレゼンテーション用キーボードの例示図である。
【図１７】ソフトウェアチップのフローチャートである。
【図１】
2009080813.tif 000003
【図２ａ】
2009080813.tif 000004
【図２ｂ】
2009080813.tif 000005
【図３ａ】
2009080813.tif 000006
【図３ｂ】
2009080813.tif 000007
【図４】
2009080813.tif 000008
【図５】
2009080813.tif 000009
【図６】
2009080813.tif 000010
【図７】
2009080813.tif 000011
【図８】
2009080813.tif 000012
【図９】
2009080813.tif 000013
【図１０】
2009080813.tif 000014
【図１１】
2009080813.tif 000015
【図１２】
2009080813.tif 000016
【図１３】
2009080813.tif 000017
【図１４】
2009080813.tif 000018
【図１５】
2009080813.tif 000019
【図１６】
2009080813.tif 000020
【図１７】
2009080813.tif 000021
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
記憶装置と、
入力装置に接続される入力ユニットと、
出力装置に接続される出力ユニットと、
入力装置から情報を受けて処理して出力ユニットに送るユニットあり、ＯＳとプレゼンテーション用プログラムがインストールされるソフトウエアチップを内装し、サウンドカードとＶＧＡカードが１つのメインボードに統合されているプロセッシングユニットと、
前記プロセッシングユニットを制御するコントローラを含むことを特徴とするマルチメディアプレゼンテーションコンピューター装置。
【請求項２】
前記記憶装置は、ハードディスクドライブとＣＤロムディスクドライバーとＤＶＤドライバーとＺＩＰディスクドライバーとを含むディスクドライバーであり、
前記入力ユニットに接続される入力装置は、ＶＣＲ、オーディオレコーダー、マイクロフォン、カメラ、文字入力用キーボード、音楽用キーボード、ディジタイザ、モデム及びセンサであり、
前記出力ユニットに接続される出力装置は、ＴＶモニター、コンピューターモニター、ビームプロジェクター、スピーカー、ＶＣＲ及びモデムであることを特徴とする請求項１に記載のマルチメディアプレゼンテーションコンピューター装置。
【請求項３】
前記記憶装置はハードディスクドライバーとＣＤロムディスクドライバーと、ＤＶＤドライバーを含むディスクドライバーであり、前記コンピューター装置は、ノートブックであり、前記出力ユニットに接続される出力装置はＴＶモニターとビームプロジェクターであり、前記コントローラは、無線で前記ノートブックを制御することを特徴とする請求項１又は請求項２に記載のマルチメディアプレゼンテーションコンピューター装置。
【請求項４】
カメラ、マイクロフォン、音楽用キーボード、文字入力用キーボード、ディジタイザ、映像及び音声ポート、ヘッドフォン、ジョイスティック及びコントローラを含む入力装置に接続するための多数のポートが前記コンピューター装置の前面に配置されることを特徴とする請求項１又は請求項２に記載のマルチメディアプレゼンテーションコンピューター装置。
【請求項５】
前記コントローラは前記プロセッシングユニットに有線または無線で接続され、コントローラはプレゼンターが一定距離離れてもプレゼンテーションを操作できる光線ポインター及びカーソルコントロール部を有することを特徴とする請求項１乃至請求項４に記載のマルチメディアプレゼンテーションコンピューター装置。
【請求項６】
ＴＶチューナが含まれていることを特徴とする請求項１乃至請求項５に記載のマルチメディアプレゼンテーションコンピューター装置。
【請求項７】
記憶装置と,
入力装置に接続される入力ユニットと,
出力装置に接続される出力ユニットと、
入力装置から情報を受けて処理して出力ユニットに送るユニットあり、サウンドカードとＶＧＡカードが１つのメインボードに統合されているプロセッシングユニットと、
前記プロセッシングユニットを制御するコントローラは、有線または無線で接続され、コントローラはプレゼンターが一定距離離れてもプレゼンテーションを操作できる光線ポインター及びカーソルコントロール部を有することを特徴とする請求項１に記載のマルチメディアプレゼンテーションコンピューター装置。
【外国語明細書】
2009080813000001.pdf
2009080813000002.pdf
2009080813000003.pdf
2009080813000004.pdf